(57)【要約】      （修正有）【課題】効率的に放熱することが可能な表示装置を提供する。【解決手段】液晶表示パネル１と、この液晶表示パネル１の側面側に配置された光源２と、この光源２からの光を液晶表示パネル１の背面に照射する導光体３と、光源２が実装され導光体３の側面に配置されたフレキシブルプリント配線板４と、少なくとも導光体３を収納保持する保持部材５と、を備えた表示装置であって、導光体３は、フレキシブルプリント配線板４に向かって突出する第１の突起部３２を有し、第１の突起部３２がフレキシブルプリント配線板４に当接することによって、フレキシブルプリント配線板４が浮き上がるのを防ぐことができるので、効率よく熱を保持部材５に伝導することができ、放熱効率を向上することが可能となる。【選択図】図３
2012033398.tif 000002
【特許請求の範囲】
【請求項１】
液晶表示パネルと、
この液晶表示パネルの側面側に配置された光源と、
この光源からの光を前記液晶表示パネルの背面に照射する導光体と、
前記光源が実装され前記導光体の側面に配置されたフレキシブルプリント配線板と、
少なくとも前記導光体を収納保持する保持部材と、を備えた表示装置であって、
前記導光体は、前記フレキシブルプリント配線板に向かって突出する第１の突起部を有し、
前記第１の突起部が前記フレキシブルプリント配線板に当接することを特徴とする表示装置。
【請求項２】
前記保持部材を収納する収納部材を更に有し、この収納部材は前記配線板に向かって突出する第２の突起部を有し、前記第２の突起部が前記配線板に当接することを特徴とする請求項１に記載の表示装置。
【請求項３】
前記保持部材が熱伝導性を有することを特徴とする請求項１及び２に記載の表示装置。
【発明の詳細な説明】
【技術分野】
【０００１】
本発明は、液晶表示器を用いた表示装置に係り、特に液晶表示器を照明する光源から発せられる熱を効率よく放熱することが可能な表示装置に関する。
【背景技術】
【０００２】
従来の表示装置として、例えば引用文献１に記載されているものが知られている。この表示装置は、液晶パネルと、LEDからなる発光素子を実装したフレキシブルプリント配線板と、そのフレキシブルプリント配線板を備え液晶パネルに向けて光を出射するバックライトと、このバックライトと液晶パネルとを収納するケースと、光学シートと、LEDの背面側を放熱体に直接接合するとともに、出射面の前面に熱伝導性の高い透明板を配置したことで、発光素子の放熱効率を高めるというものである。
【先行技術文献】
【特許文献】
【０００３】
【特許文献１】特開２００９−１６９２０４号公報
【発明の概要】
【発明が解決しようとする課題】
【０００４】
しかしながら、特許文献１に記載の表示装置のように、フレキシブルプリント配線板が平らな板上を沿うように配置されているだけでは、基板上で浮き上がってしまい、伝導率が下がってしまうといった問題点があった。
【０００５】
そこで本発明はフレキシブルプリント配線板の浮き上がりを防止し、効率的に放熱することが可能な表示装置を提供することを目的とする。
【課題を解決するための手段】
【０００６】
本発明は、前記目的を達成するため、液晶表示パネルと、
この液晶表示パネルの側面側に配置された光源と、
この光源からの光を前記液晶表示パネルの背面に照射する導光体と、
前記光源が実装され前記導光体の側面に配置されたフレキシブルプリント配線板と、
少なくとも前記導光体を収納保持する保持部材と、を備えた表示装置であって、
前記導光体は、前記フレキシブルプリント配線板に向かって突出する第１の突起部を有し、
前記第１の突起部が前記フレキシブルプリント配線板に当接するものである。
【０００７】
また本発明は、前記保持部材を収納する収納部材を更に有し、この収納部材は前記配線板に向かって突出する第２の突起部を有し、前記第２の突起部が前記配線板に当接するものである。
【０００８】
また本発明は、前記保持部材が熱伝導性を有するものである。
【発明の効果】
【０００９】
本発明によれば、フレキシブルプリント配線板の浮き上がりを防止し、効率的に放熱することが可能な表示装置を提供することができる。
【図面の簡単な説明】
【００１０】
【図１】本発明における第１の実施形態を示す表示装置の正面図。
【図２】同上のＡ−Ａ断面図。
【図３】同上の液晶表示器の正面図。
【図４】同上の収納部材の正面図。
【図５】同上の液晶表示器と収納部材の組付け状態を示す正面図。
【図６】図５の要部拡大図。
【発明を実施するための形態】
【００１１】
本発明による表示装置を自動車用メータに適用した場合を例として、その実施形態を添付図面を用いて説明する。
【００１２】
表示装置は、図１及び図２に示すように、液晶表示器１と、この液晶表示器１の背後に配置された駆動源７を備えた硬質の回路基板８と、その駆動源７から延びる指針軸９に装着される指針１１と、この指針１１によって指示される指標部（図示せず）などを有する表示板１０と、これら構成要素を収納するハウジング１２とを備えている。
【００１３】
液晶表示器１は、図３に示すように、四角形で透過型の液晶表示パネル１ａと、液晶表示パネル１ａの側面に配置された光源２と、光源２からの光を液晶表示パネル１ａの背面に照射する導光体３と、導光体３の側面に配置され光源２が実装されたフレキシブルプリント配線板４と、熱伝導性を有し導光体３を収納保持する保持部材５とで構成され、このように構成された液晶表示器１は、収納部材６に収納されている。
【００１４】
液晶表示パネル１ａは、マトリクス状に設けられた画素（ドット）を有するドットマトリクス型である。図示しないが、ＩＴＯからなる透明電極が形成された前側ガラス基板と後側ガラス基板とを重ね合わせて周囲を封止剤で固定した後、各ガラス基板間に液晶分子を封入し、各ガラス基板に例えばスモーク調の偏光膜を貼ったものである。
【００１５】
光源２は、例えばチップ型の発光ダイオードを適用でき、液晶表示パネル１ａを照明する液晶表示用光源２ａと、表示板１０を照明する表示板用光源２ｂとからなり、後述するフレキシブルプリント配線板４の表面上に複数配設されている。
【００１６】
導光体３は、液晶表示パネル１ａとほぼ同形である四角形の透光性合成樹脂からなり、液晶表示用光源２ａに対向した側面には受光部３１が設けてある。また、裏面には微細な凹凸が形成されてあり、受光部３１から導光体３に入射した液晶表示用光源２ａからの光が凹凸面で反射して、導光体３の表面側に向かい、液晶表示パネル１ａを照明する。
【００１７】
また、受光部３１の両端には、フレキシブルプリント配線板４に向かって突出する第１の突出部３２が一体形成されている。第１の突出部３２がフレキシブルプリント配線板４に当接して、このフレキシブルプリント配線板４を保持部材５の後述する取付部に押圧することで、フレキシブルプリント配線板４の浮き上がりを防止するものである。
【００１８】
フレキシブルプリント配線板４は、合成樹脂からなる樹脂フィルムに所望の導電回路パターンを形成したものであり、液晶表示パネル１ａ側と回路基板７側とを電気的に接続する可撓性の配線板である。フレキシブルプリント配線板４は、熱伝導性を有する接着剤等の接着層４１によって、保持部材５の導光体３の受光部３１に対向する壁側である前記取付部に接合され、導光体３と収納部材６との間に設けられた隙間に沿うように配置されている。
【００１９】
保持部材５は、液晶表示パネル１ａとほぼ同形で、金属材料である例えばアルミニウムからなり、正面視四角形の底壁とこの底壁の４辺の内の導光体３の受光部３１に対応する辺を除いた３辺から垂直に折り曲げ形成された３つの側壁と、受光部３１に対向する辺側によって形成された取付部５１とを有する。この取付部５１は、前記底壁を越えて図３中、左右方向に「ハ」の字形状に折り曲げられ、光源２ａ，２ｂを有したフレキシブルプリント配線板４が沿わされて配置される。
【００２０】
収納部材６は、例えば乳白色の合成樹脂材料を適用でき、回路基板８上に位置して、保持部材５が収納される。詳しく説明すると、図４に示すように、収納部材６は、液晶表示装置１を収納する凹部６ａと、この凹部の開口側から周囲に広がる正面視円形の支持板部６ｂと、取付部５１を収容する溝部６ｃとを備え、収納部材６の前方には、指針１１が指示する円形の表示板１０と、その表示板１０を背後から照明する表示板用導光体１３と、その表示板用導光体１３を保持するホルダー１４が載置され支持されている。
【００２１】
表示板用導光体１３は、透光性合成樹脂からなり、図１、２に示すように、液晶表示器１が視認されるように中心をドーナツ形に形成されている。また、ホルダー１４は、例えば乳白色の合成樹脂材料を適用でき、これら表示板用導光体１３とホルダー１４は、表示板１０の形状に対応したドーナツ形に形成されている。表示板用導光体１３は図４に示すように表示板用光源２ｂと対向する入光部１３ａを有し、この入光部１３ａを通じて導入した光によって表示板１０を照明する。
【００２２】
また、図４、図５に示すように、収納部材６には、フレキシブルプリント配線板４に向かって突出する第２の突出部６２が一体形成されている。第２の突出部６２がフレキシブルプリント配線板４に当接することで、フレキシブルプリント配線板４を取付部５１に押圧し、フレキシブルプリント配線板４の浮き上がりを防止するものである。
【００２３】
また、第１及び第２の突起部３２、６２は、取付部５１の折曲部５２によって生じるフレキシブルプリント配線板４の浮きを抑える為に、最も撓みが大きい折曲部５１の両側を挟み込むように位置するのが好ましい。
【００２４】
このように本実施形態は、液晶表示パネル１と、この液晶表示パネル１の側面側に配置された光源２と、この光源２からの光を液晶表示パネル１の背面に照射する導光体３と、光源２が実装され導光体３の側面に配置されたフレキシブルプリント配線板４と、少なくとも導光体３を収納保持する保持部材５と、を備えた表示装置であって、導光体３は、フレキシブルプリント配線板４に向かって突出する第１の突起部３２を有し、第１の突起部３２がフレキシブルプリント配線板４に当接することによって、フレキシブルプリント配線板４が浮き上がるのを防ぐことができるので、効率よく熱を保持部材５に伝導することができ、放熱効率を向上することが可能となる。
【００２５】
また本実施形態では、保持部材５を収納する収納部材６を更に有し、この収納部材６はフレキシブルプリント配線板４に向かって突出する第２の突起部６２を有し、第２の突起部６２がフレキシブルプリント配線板４に当接することによって、第１の突起部３２と第２の突起部６２の双方がフレキシブルプリント配線板４に当接することによって、フレキシブルプリント配線板４が浮き上がるのを広範囲に防ぐことができるので、更に放熱効率を向上することが可能となる。
【００２６】
また、本実施形態では、保持部材５が金属製であることによって、保持部材５の全体に熱が伝わりやすくなり、更に放熱効率を向上させることができる。
【符号の説明】
【００２７】
１      液晶表示器
１ａ    液晶表示パネル
２      光源
２ａ    液晶表示用光源
２ｂ    表示板用光源
３      導光体
４      フレキシブルプリント配線板
５      保持部材
６      収納部材
６ａ    凹部
６ｂ    支持板部
６ｃ    溝部
７      駆動源
８      回路基板
９      指針軸
１０    表示板
１１    指針
１２    ハウジング
１３    表示板用導光体
１３ａ  入光部
１４    ホルダー
３１    受光部
３２   第１の突起部
４１    接着層
５１   取付部
５２    折曲部
６２    第２の突起部
【図１】
2012033398.tif 000003
【図２】
2012033398.tif 000004
【図３】
2012033398.tif 000005
【図４】
2012033398.tif 000006
【図５】
2012033398.tif 000007
【図６】
2012033398.tif 000008